(57)【要約】【課題】被操作部へ簡単にアクセスして係合を容易に解除できるクイックコネクタの解除器具を提供する。【解決手段】保持部材３３の被操作部７３、７３に当接してこの被操作部７３、７３を雄部材３１の軸線Ｌ０側に押し付ける解除器具１００を設け、この解除器具１００により保持部材３３の爪部７１、７１と雌部材３２の窓部５４、５４との係合を解除して雄部材３１と雌部材３２とを着脱自在にした。【選択図】図５
2010196782.tif 000002
【特許請求の範囲】
【請求項１】
外筒を形成する雌部材と、この雌部材に挿入する管状の雄部材と、この雄部材を雌部材に固定する保持部材とを備え、
雄部材は、その外周に環状のフランジ部を備え、
保持部材は、雄部材のフランジ部に取り付けられ、このフランジ部から雄部材の先端とは反対方向に延出して雄部材の軸線側および軸線の反対側に弾性変形可能な延出部と、この延出部の延出端に設けられる被操作部と、この延出部における被操作部よりもフランジ部側に設けられる爪部とを備え、
雌部材は、雄部材が挿入された場合に、保持部材の被操作部が雌部材の外方に位置した状態で、保持部材の爪部が係合する窓部を備え、この係合を、保持部材の被操作部を雄部材の軸側に弾性変形させて解除自在なクイックコネクタにおいて、
前記保持部材の被操作部に当接してこの被操作部を雄部材の軸線側に押し付ける解除器具を設け、この解除器具により前記係合を解除して前記雄部材と前記雌部材とを着脱自在にすることを特徴とするクイックコネクタの解除器具。
【請求項２】
前記保持部材には、複数の前記被操作部が設けられ、
前記解除器具は、前記複数の被操作部に当接してこれら被操作部を雄部材の軸線側に押し付ける複数の操作部を備えることを特徴とする請求項１に記載のクイックコネクタの解除器具。
【請求項３】
前記解除器具は、前記雄部材の軸線の直交面に沿って前記雄部材の軸線側に挿入自在な板状の解除器具本体を備え、前記複数の操作部は、前記解除器具本体に形成されることを特徴とする請求項２に記載のクイックコネクタの解除器具。
【請求項４】
前記操作部は、前記被操作部に当接して当該解除器具が前記雄部材の軸側に移動するに従って前記被操作部を雄部材の軸側に押し付けるテーパー面を有することを特徴とする請求項１乃至３のいずれかに記載のクイックコネクタの解除器具。
【請求項５】
前記解除器具は、前記保持部材の被操作部に当接してこの被操作部を雄部材の軸線側に押し付ける解除器具本体より延出するにぎり部を備えることを特徴とする請求項１乃至４のいずれかに記載のクイックコネクタの解除器具。
【請求項６】
前記解除器具は、一方が開口する切り欠き部を有した略Ｃ型形状の解除器具本体を備え、この切り欠き部は、当該解除器具を前記雄部材の軸線側に移動した際に、前記雄部材およびこの雄部材に取り付けられた保持部材を挿入自在に開口すると共に、前記保持部材の被操作部に当接して雄部材の軸線側に押し付ける操作部となる形状に形成されていることを特徴とする請求項１乃至５のいずれかに記載のクイックコネクタの解除器具。
【請求項７】
前記解除器具は、前記雌部材の外面に沿って当該解除器具を前記雄部材の軸線側に案内する案内体を有し、この案内体は、前記係合を解除した位置で前記雌部材の窓部に係止する突起を備えることを特徴とする請求項１乃至６のいずれかに記載のクイックコネクタの解除器具。
【発明の詳細な説明】
【技術分野】
【０００１】
本発明は、クイックコネクタの解除器具に関する。
【背景技術】
【０００２】
各種流体を移送するホースやパイプを連結する配管用継手の一つとして、クイックコネクタが知られている（例えば、特許文献１参照）。
クイックコネクタは、外筒を形成する雌部材と、雌部材に挿入する管状の雄部材と、この雄部材を雌部材に固定する保持部材とから構成されている。すなわち、雄部材は、その外周に環状のフランジ部を備え、保持部材は、雄部材のフランジ部に取り付けられ、このフランジ部から雄部材の先端とは反対方向に延出して雄部材の軸線側および反対側に弾性変形可能な延出部と、この延出部の延出端に設けられる被操作部と、この延出部における被操作部よりもフランジ部側に設けられる爪部とを備えており、作業者が手で持って雄部材を雌部材に挿入すれば、雄部材に設けられた保持部材の爪部が雌部材の窓部に係合して雄部材が雌部材に固定される。
また、作業者が指で保持部材の被操作部を外方から押下すれば、被操作部が雄部材の軸側に弾性変形して爪部が雌部材の窓部から外れ、雄部材を雌部材から抜くことができる。
【特許文献１】特開平１１−２０１３５５号公報
【発明の開示】
【発明が解決しようとする課題】
【０００３】
しかしながら、従来のクイックコネクタは、被操作部が雌部材の端部よりも外側に位置するものの、被操作部が小さいので、指でコネクタを外すことが難しかった。一方、コネクタ周辺に空きスペースがない場合、被操作部を大きくすることはできない。
【０００４】
本発明は、上述した事情を鑑みてなされたものであり、被操作部へ簡単にアクセスして係合を容易に解除できるクイックコネクタの解除器具を提供することを目的としている。
【課題を解決するための手段】
【０００５】
上述課題を解決するため、本発明は、外筒を形成する雌部材と、この雌部材に挿入する管状の雄部材と、この雄部材を雌部材に固定する保持部材とを備え、雄部材は、その外周に環状のフランジ部を備え、保持部材は、雄部材のフランジ部に取り付けられ、このフランジ部から雄部材の先端とは反対方向に延出して雄部材の軸線側および軸線の反対側に弾性変形可能な延出部と、この延出部の延出端に設けられる被操作部と、この延出部における被操作部よりもフランジ部側に設けられる爪部とを備え、雌部材は、雄部材が挿入された場合に、保持部材の被操作部が雌部材の外方に位置した状態で、保持部材の爪部が係合する窓部を備え、この係合を、保持部材の被操作部を雄部材の軸側に弾性変形させて解除自在なクイックコネクタにおいて、前記保持部材の被操作部に当接してこの被操作部を雄部材の軸線側に押し付ける解除器具を設け、この解除器具により前記係合を解除して前記雄部材と前記雌部材とを着脱自在にすることを特徴とする。
この発明によれば、保持部材の被操作部に当接してこの被操作部を雄部材の軸線側に押し付ける解除器具を設け、この解除器具により係合を解除して雄部材と雌部材とを着脱自在にするので、被操作部が小さくても被操作部へ簡単にアクセスして係合を容易に解除することができる。
【０００６】
上記構成において、前記保持部材には、複数の前記被操作部が設けられ、前記解除器具は、前記複数の被操作部に当接してこれら被操作部を雄部材の軸線側に押し付ける複数の操作部を備えるようにしてもよい。この構成によれば、被操作部と操作部とが対となり、全ての被操作部を確実に操作することができる。
また、上記構成において、前記解除器具は、前記雄部材の軸線の直交面に沿って前記雄部材の軸線側に挿入自在な板状の解除器具本体を備え、前記複数の操作部は、前記解除器具本体に形成されるようにしてもよい。この構成によれば、解除器具本体を小型かつ単純な構造で被操作部へのアクセスを可能にでき、クイックコネクタの係合を容易に解除することができる。
【０００７】
また、上記構成において、前記操作部は、前記被操作部に当接して当該解除器具が前記雄部材の軸側に移動するに従って前記被操作部を雄部材の軸側に押し付けるテーパー面を有するようにしてもよい。この構成によれば、このテーパー面により被操作部を雄部材の軸側に少しずつ押し付けることができ、簡単な操作で係合を解除できる。
また、上記構成において、前記解除器具は、前記保持部材の被操作部に当接してこの被操作部を雄部材の軸線側に押し付ける解除器具本体より延出するにぎり部を備えるようにしてもよい。この構成によれば、解除器具を持ちやすくすることができ、解除器具の操作性を向上できる。
【０００８】
また、上記構成において、前記解除器具は、一方が開口する切り欠き部を有した略Ｃ型形状の解除器具本体を備え、この切り欠き部は、当該解除器具を前記雄部材の軸線側に移動した際に、前記雄部材およびこの雄部材に取り付けられた保持部材を挿入自在に開口すると共に、前記保持部材の被操作部に当接して雄部材の軸線側に押し付ける操作部となる形状に形成されるようにしてもよい。この構成によれば、燃料配管の一部を構成する雄部材を避けつつ、この雄部材の近傍に位置する被操作部を確実に操作することができる。
また、上記構成において、前記解除器具は、前記雌部材の外面に沿って当該解除器具を前記雄部材の軸線側に案内する案内体を有し、この案内体は、前記係合を解除した位置で前記雌部材の窓部に係止する突起を備えるので、案内体により解除器具の移動を案内することができ、かつ、突起により解除器具を係合解除位置に位置決めすることができ、これらにより解除器具の操作性が向上する。
【発明の効果】
【０００９】
本発明では、保持部材の被操作部に当接してこの被操作部を雄部材の軸線側に押し付ける解除器具を設け、この解除器具により係合を解除して雄部材と雌部材とを着脱自在にするので、被操作部へ簡単にアクセスして係合を容易に解除することができる。
また、保持部材には、複数の被操作部が設けられ、解除器具は、複数の被操作部に当接してこれら被操作部を雄部材の軸線側に押し付ける複数の操作部を備えるので、全ての被操作部を確実に操作することができる。
また、解除器具は、雄部材の軸線の直交面に沿って雄部材の軸線側に挿入自在な板状の解除器具本体を備え、複数の操作部は、解除器具本体に形成されるので、解除器具本体を小型かつ単純な構造で被操作部へのアクセスを可能にでき、クイックコネクタの係合を容易に解除することができる。
また、操作部は、被操作部に当接して当該解除器具が雄部材の軸側に移動するに従って被操作部を雄部材の軸側に押し付けるテーパー面を有するので、簡単な操作で係合を解除できる。
【００１０】
また、解除器具は、保持部材の被操作部に当接してこの被操作部を雄部材の軸線側に押し付ける解除器具本体より延出するにぎり部を備えるので、解除器具を持ちやすくすることができ、解除器具の操作性を向上できる。
また、解除器具は、一方が開口する切り欠き部を有した略Ｃ型形状の解除器具本体を備え、この切り欠き部は、当該解除器具を雄部材の軸線側に移動した際に、雄部材およびこの雄部材に取り付けられた保持部材を挿入自在に開口すると共に、保持部材の被操作部に当接して雄部材の軸線側に押し付ける操作部となる形状に形成されるので、燃料配管の一部を構成する雄部材を避けつつ、この雄部材の近傍に位置する被操作部を確実に操作することができる。
また、解除器具は、雌部材の外面に沿って当該解除器具を雄部材の軸線側に案内する案内体を有し、この案内体は、係合を解除した位置で雌部材の窓部に係止する突起を備えるので、案内体により解除器具の移動を案内することができ、かつ、突起により解除器具を係合解除位置に位置決めすることができる。
【発明を実施するための最良の形態】
【００１１】
以下、本発明の一実施形態を添付した図面を参照して説明する。
＜第一実施形態＞
図１は、本発明の第一実施形態に係る解除器具が適用されるクイックコネクタを周辺構成と共に示す図であり、図１（Ａ）は上方から見た図を示し、図１（Ｂ）は側方から見た図を示している。この図では、クイックコネクタ３０を燃料ポンプ１０の配管接続に適用した態様を示している。
この燃料ポンプ１０は、自動二輪車の燃料タンクに取り付けられるインタンク型の燃料ポンプであり、ポンプ本体１２と、このポンプ本体１２に設けられるフランジ部１４とを備え、燃料タンクの上面Ｔを形成する上板に設けられたポンプ貫通孔からポンプ本体１２をタンク内へ挿入され、フランジ部１４が燃料タンクの上板にボルト等の締結部材で締結されることによって燃料タンクに固定される。
また、この燃料ポンプ１０は、ポンプ本体１２から突出する燃料配管（燃料吐出管）１６を備えており、この燃料配管１６は、クイックコネクタ３０を介して他の燃料配管２０と接続される。この他の燃料配管２０の一端は、車体側につながっており、より具体的には、図示せぬインジェクタ（燃料噴射部）につながっている。すなわち、クイックコネクタ３０を介して燃料ポンプ１０と車体側のインジェクタとが接続される。従って、このクイックコネクタ３０を外せば、燃料ポンプ１０を車体から切り離すことができ、この燃料ポンプ１０が取り付けられた燃料タンクを、車体から取り外すことが可能になる。
【００１２】
一方、クイックコネクタ３０が接続された状態では、燃料タンク内の燃料が燃料ポンプ１０により車体に装備されたインジェクタへと供給され、このインジェクタにより車両のエンジンへと供給される。
ここで、図１では、燃料ポンプ１０が、フランジ部１４よりも上方に突出する略円柱状のカバー部１８を有した場合を示しており、この構成の場合、燃料配管１６は、このカバー部１８の側壁（壁部）１８Ａから側方に向けて一直線状に延び、その先端側がクイックコネクタ３０の一部を構成する雄部材３１に形成される。
なお、本実施形態では、燃料ポンプ１０を燃料タンク上板に取り付け、燃料タンク上方にて燃料ポンプ１０にクイックコネクタ３０を介して燃料配管２０を接続する場合を説明するが、これに限らない。例えば、燃料タンクの底板にポンプ貫通孔を形成してポンプ本体１２を燃料タンク下方からタンク内へ挿入し、フランジ部１４を燃料タンクの底板に固定し、燃料タンク下方にて燃料ポンプ１０にクイックコネクタ３０を介して燃料配管２０を接続する構成にしてもよい。
【００１３】
図２は、クイックコネクタ３０を周囲構成と共に示す分解斜視図であり、図３はクイックコネクタ３０の側断面図である。
クイックコネクタ３０は、燃料ポンプ１０側に設けられる雄部材３１と、この雄部材３１が挿入される外筒を形成する雌部材（コネクタ本体とも言う）３２と、雄部材３１が雌部材３２から抜けないように固定する保持部材（リテーナとも言う）３３とを備えている。ここで、雌部材３２には、樹脂チューブ２０Ａが取り付けられ、この樹脂チューブ２０Ａを介して車体側の燃料配管２０が接続される。なお、図１（Ａ）中、符号２０Ｂは、樹脂チューブ２０Ａを雌部材３２に固定するためのクリップである。
図２に示すように、雄部材３１は、雌部材３２の接続先となる管状部材であり、雌部材３２よりも小径で燃料ポンプ１０から一直線状に延びる直線パイプ部３１Ａと、その外周に設けられる環状のフランジ部３１Ｂとを樹脂成形により一体に形成した樹脂製パイプである。このフランジ部３１Ｂは、雄部材３１の先端３１Ｃから所定距離を隔てた位置に形成され、その外径は、パイプ部３１Ａの外径より大きく、かつ、雌部材３２の一端側の開口である挿入開口端部５１より小径に形成されている。
【００１４】
図２および図３に示すように、雌部材３２は、雄部材３１よりも大径に形成され、雄部材３１が保持部材３３を介して着脱自在に挿入される筒状部材である。この雌部材３２は、一端に雄部材３１の先端３１Ｃおよび保持部材３３を挿入自在な内径の挿入開口端部５１を備え、他端にチューブ接続部（燃料配管接続部）として機能するニップル部５２（図２参照）を備え、この挿入開口端部５１とニップル部５２との間に挿入開口端部５１から挿入された雄部材３１および保持部材３３が収容される筒状の収容部５３を備え、これらを樹脂成形により一体に形成した樹脂製の部品である。
すなわち、この挿入開口端部５１および収容部５３は、同一軸線上に連なり、図３に示すように、挿入開口端部５１から挿入された雄部材３１がまっすぐに挿入され、雄部材３１の先端が収容部５３の奥まで挿入されるようになっている。また、保持部材３３は、雄部材３１のフランジ部３１Ｂに取り付けられ、雄部材３１と一体的に収容部５３内に挿入されるようになっている。
【００１５】
この収容部５３は、保持部材３３に設けられた左右一対の爪部７１、７１が係合する一対の窓部５４、５４を備えている（図３参照）。すなわち、収容部５３は、雄部材３１と共に保持部材３３が挿入されると、保持部材３３の一対の爪部７１、７１が窓部５４、５４に入り込んで、図３に示すように、窓部５４、５４の一端側（挿入開口端部５１側）の係止面５４Ａ、５４Ａに係止し、保持部材３３が収容部５３から抜けないように保持する。
この収容部５３は、挿入開口端部５１からニップル部５２に向かうほど、外径が徐々に小さくなっており、つまり、挿入開口端部５１に連なる最も大径の円筒形状に形成された大径筒部５３Ａと、この大径筒部５３Ａよりも小径に形成された中径筒部５３Ｂと、この中径筒部５３Ｂよりも小径に形成された小径筒部５３Ｃとを一体に備えている。
【００１６】
この大径筒部５３Ａは、雄部材３１のフランジ部３１Ｂ、保持部材３３の本体部７０および爪部７１、７１を収容する部分であり、外径だけでなく内径も最も大きく、この大径筒部５３Ａの周壁に、保持部材３３の一対の爪部７１、７１が係合する一対の窓部５４、５４が、雌部材３２の軸線Ｌ０（ニップル部５２を除く部分（収容部５３）の軸線）に対して１８０度間隔で形成されている。
ここで、このクイックコネクタ３０では、雄部材３１、雌部材３２（ニップル部５２を除く部分（収容部５３））および保持部材３３が同軸に配置されるため、各部材３１、３２および２２の軸線が一致している。以下、これらの共通軸線を軸線Ｌ０と表記する。
【００１７】
中径筒部５３Ｂは、大径筒部５３Ａよりも内径および外径が小さく、内周面と雄部材３１のパイプ部３１Ａの外周面との間に介挿されるブッシュ５５（図３参照）とリング状のシール部材５６、５６（図３参照）とを保持する。ブッシュ５５の内周面は、漏斗状に一方（大径筒部５３Ａ側）に向かって拡がって形成されており、雄部材３１の先端を挿入し易くする。また、シール部材５６、５６は、雄部材３１と雌部材３２との間の水密性および気密性を充分に確保する。
小径筒部５３Ｃは、中径筒部５３Ｂよりもさらに内径および外径が小さく、雄部材３１の先端を収容して保持する。つまり、雌部材３２の小径筒部５３Ｃで雄部材３１の先端３１Ｃを保持し、これによって、雌部材３１に対して雄部材３１の姿勢が安定し、クイックコネクタ３０の接続が安定する。
【００１８】
保持部材３３は、図３に示すように、雄部材３１のフランジ部３１Ｂに取り付けられる本体部７０と、フランジ部３１Ｂから雄部材３１の先端３１Ｃとは反対方向に延出する一対の延出部７２、７２と、この一対の延出部７２、７２に設けられる一対の爪部７１、７１および一対の被操作部７３、７３とを備え、これらを樹脂成形により一体に形成した樹脂製の部品である。
本体部７０は、弾性変形により拡径および縮径が可能な断面略Ｃ型形状に形成されている（図２参照）。このため、本体部７０を、断面略Ｃ型形状の開口側から雄部材３１に押し付けると、本体部７０が弾性変形により拡がって雄部材３１の外周に嵌り、雄部材３１を弾性力で挟持する。このように弾性力で雄部材３１を保持するので、本体部７０を雄部材３１から外すことも容易であり、つまり、保持部材３３を雄部材３１へ容易に着脱できる。
また、この本体部７０は、雄部材３１を保持した状態でフランジ部３１Ｂに係合する一対の窓部７０Ａ、７０Ａを備えており、この窓部７０Ａ、７０Ａによって保持部材３３が雄部材３１の軸方向に移動せず、雄部材３１に位置決めされる。なお、窓部７０Ａ、７０Ａがフランジ部３１Ｂに係合した状態においても、保持部材３３は、雄部材３１の周方向に回転自在であり、保持部材３３の雄部材３１への取付角度は制限されない。
【００１９】
一対の延出部７２、７２は、保持部材３３の軸線Ｌ０に対して１８０度間隔で設けられており、本体部７０から離れるほどその内周面が軸線Ｌ０から離れるように拡径する傾斜板形状に形成され、軸線Ｌ０側および軸線Ｌ０の反対側に弾性変形自在である。
この延出部７２、７２の基端側（本体部７０側）には、軸線Ｌ０から離れる方向（遠心方向とも言う）に突出するように上記一対の爪部７１、７１が形成されており、延出部７２、７２の弾性変形に応じて爪部７１、７１が軸線Ｌ０側および軸線Ｌ０の反対側に移動する。
また、この延出部７２、７２の延出端側にも、軸線Ｌ０から離れる方向（遠心方向とも言う）に突出するように一対の被操作部７３、７３が形成されており、延出部７２、７２の弾性変形に応じて被操作部７３、７３も軸線Ｌ０側および軸線Ｌ０の反対側に移動する。
【００２０】
すなわち、一対の爪部７１、７１および一対の被操作部７３、７３は、一対の延出部７２、７２の各々に対して、保持部材３３の軸線Ｌ０方向に間隔を空けて設けられており、一対の被操作部７３、７３を押下して軸線Ｌ０側に移動させると、これら被操作部７３、７３を有する一対の延出部７２、７２が軸線Ｌ０側に縮径するように弾性変形し、これら延出部７２、７２に設けられた一対の爪部７１、７１も軸線Ｌ０側に移動する。
従って、一対の爪部７１、７１が雌部材３２の窓部５４、５４に係合している場合（図３参照）、一対の被操作部７３、７３を軸線Ｌ０側に押し込めば、一対の爪部７１、７１と雌部材３２の窓部５４、５４との係合が解除され、保持部材３３および雄部材３１を雌部材３２から抜くことができ、つまり、クイックコネクタ３０の接続を解除することができる。つまり、一対の被操作部７３、７３は、クイックコネクタ接続解除用の操作子として機能する。
【００２１】
ここで、一対の被操作部７３、７３は、図３に示すように、一対の爪部７１、７１よりも外周側に突出しており、より具体的には、一対の爪部７１、７１が雌部材３２の窓部５４、５４に各々係合した状態で、雌部材３２の挿入開口端部５１の内径よりも外周側に突出している。このため、保持部材３３が取り付けられた雄部材３１を、雌部材３２に挿入していけば、この一対の被操作部７３、７３が雌部材３１の挿入開口端部５１に当接する位置で、それ以上の挿入が規制されえる。
この規制位置は、一対の爪部７１、７１が雌部材３２の窓部５４、５４に各々係合する位置であり、一対の被操作部７３、７３は挿入深さを規制する挿入深さ規制部材としても機能している。
ただし、この一対の被操作部７３、７３は、図３に示すように、一対の爪部７１、７１が雌部材３２の窓部５４、５４に各々係合した状態（クイックコネクタ接続状態）では、雌部材３２の挿入開口端部５１よりも外側（外周側）へは突出せず、雌部材３２の外径内に収まるようになっている。
【００２２】
このクイックコネクタ３０を接続する接続手順は、雄部材３１に保持部材３３を取り付け状態で行う第一接続手順と、雌部材３２に保持部材３３を取り付けた状態で行う第二接続手順とがある。
詳述すると、第一接続手順では、雄部材３１のフランジ部３１Ｂに保持部材３３の窓部７０Ａ、７０Ａを嵌合させた状態で、雄部材３１の先端３１Ｃを、保持部材３３ごと雌部材３２の収容部５３に挿入し、雄部材３１の先端３１Ｃを、雌部材３２の大径筒部５３Ａおよび中径筒部５３Ｂを通して小径筒部５３Ｃ内にほぼ隙間無く嵌合させることによって行われる。
この雄部材３１の先端３１Ｃが小径筒部５３Ｃに入って嵌合した状態では、雄部材３１に取り付けられた保持部材３３の爪部７１、７１が雌部材３２の窓部５４に係合するので、雄部材３１、保持部材３３および雌部材３２が連結され、クイックコネクタ３０の接続状態となる。
【００２３】
また、第二接続手順では、雌部材３２の窓部５４に保持部材３３の爪部７１、７１を係合した状態で、雄部材３１の先端３１Ｃを、雌部材３２の収容部５３に挿入し、雄部材３１の先端３１Ｃを、雌部材３２の大径筒部５３Ａおよび中径筒部５３Ｂを通して小径筒部５３Ｃ内にほぼ隙間無く嵌合させることによって行われる。
この雄部材３１の先端３１Ｃが収容部５３に挿入された際に、この収容部５３に保持される保持部材３３に雄部材３１が挿入され、この雄部材３１の先端３１Ｃが保持部材３３を通って小径筒部５３Ｃに嵌合した状態では、雄部材３１のフランジ部３１Ｂが保持部材３３の窓部７０Ａ、７０Ａに係合し、雄部材３１、保持部材３３および雌部材３２が連結され、クイックコネクタ３０の接続状態となる。つまり、クイックコネクタ３０の接続手順は、上記の二通りの手順のいずれによっても行うことができる。
【００２４】
このクイックコネクタ３０の接続を解除する解除手順は、保持部材３３に設けられた一対の被操作部７３、７３を軸線Ｌ０側に押し込むことによって行われる。すなわち、クイックコネクタ３０が接続した状態で、一対の被操作部７３、７３を軸線Ｌ０側へ押し込むと、保持部材３３の一対の爪部７１、７１が軸線Ｌ０側（内周側）に移動するので、一対の爪部７１、７１と雌部材３２の一対の窓部５４、５４との係合が解除される。この状態で、雄部材３１を雌部材３２から引き抜く方向に操作力を加えると、雄部材３１が雌部材３２から引き抜かれ、クイックコネクタ３０の接続が解除される。
【００２５】
ところで、図３に示すように、クイックコネクタ３０の一対の被操作部７３、７３は、雌部材３２から外側へはみ出さないように小さく形成されるので、指で操作することが難しい。特に、図１に示すように、クイックコネクタ３０の雄部３１の近傍に側壁（壁部）１８Ａが存在している場合には、この側壁１８Ａとクイックコネクタ３０の雌部材３２との間の隙間Ｓが狭いため、この隙間Ｓから指を入れて被操作部７３、７３を操作することが難しい。
そこで、本実施形態では、かかる隙間Ｓにも挿入自在で、保持部材３３の被操作部７３、７３に当接してこの被操作部７３、７３を雄部材３１の軸線Ｌ０側に押し付け可能な解除器具１００を設け、この解除器具１００により被操作部７３、７３を操作してクイックコネクタ３０の接続を解除できるようにしている。以下、この解除器具１００について詳述する。
【００２６】
図４は解除器具１００の三面図を示しており、図４（Ａ）は解除器具１００の平面図を示し、図４（Ｂ）は側断面図を示し、図４（Ｃ）は図４（Ａ）を下方から見た図を示している。
この解除器具１００は、一方が開口する切り欠き部１０２を有した略Ｃ型形状の板部材からなる解除器具本体１１０を有し、樹脂材料で形成されている。なお、樹脂材料に限らず、剛性を有する他の材料で形成してもよい。
この解除器具本体１１０は、樹脂製の円板部材（軸線ＬＡの円板部材）に切り欠き部１０２を設けた形状を有し、この切り欠き部１０２は、大別すると、解除器具本体の略中央に設けられた中央開口部１０２Ａと、この中央開口部１０２Ａに連なり中央開口部１０２Ａから解除器具本体１１０の外側に行くに従ってその開口幅ＨＡが徐々に拡がる案内用開口部１０２Ｂとを備えている。
この中央開口部１０２Ａは、解除器具本体１１０の中心軸線ＬＡを中心とした直径ＲＡの開口形状に形成されており、この直径ＲＡは、保持部材３３の被操作部７３、７３が縮径して爪部７１、７１が窓部５４、５４に非係合の状態での一対の被操作部７３、７３（図３に二点鎖線で示す状態）の外側面間の距離Ｌ１（図３参照）に相当する長さに形成されている。
【００２７】
また、案内用開口部１０２Ｂは、中央開口部１０２Ａに向かってその開口幅ＨＡを徐々に狭くするように傾斜する左右対称形状の一対のテーパー面を内側面１０２Ｂ１、１０２Ｂ１としており、最も外側の開口幅ＨＡ１は、保持部材３３の被操作部７３、７３が拡径して爪部７１、７１が窓部５４、５４に係合している状態での一対の被操作部７３、７３（図３に実線で示す状態）の外側面間の距離Ｌ２（図３参照）よりも大きく形成されている（ＨＡ１＞Ｌ２）。
すなわち、案内用開口部１０２Ｂは、当該開口部１０２Ｂ内に雄部材３１および保持部材３３を、保持部材３３の被操作部７３、７３が拡がった状態でも挿入自在な開口に形成されており、かつ、その一対の内側面１０２Ｂ１、１０２Ｂ１が、中央開口部１０２Ａに向けて傾斜するテーパー面に形成されているので、雄部材３１および保持部材３３を中央開口部１０２Ａへ向けて円滑に案内することができる。
【００２８】
図５は、解除器具１００の使用状態を示している。解除器具本体１１０を、雄部材３１の軸線Ｌ０の直交面Ｍ１（図５参照）に沿わせて軸線Ｌ０側に移動させれば（図５の紙面奥側から手前側に向かって移動させれば）、案内用開口部１０２Ｂの内側面１０２Ｂ１、１０２Ｂ１に沿って保持部材３３の被操作部７３、７３が中央開口部１０２Ａへ向けて案内される。
この場合、案内用開口部１０２Ｂの内側面１０２Ｂ１、１０２Ｂ１によって保持部材３３の被操作部７３、７３が少しずつ軸線Ｌ０側に押し付けられ、図５に示すように、解除器具本体１１０の中央開口部１０２Ａ内に、保持部材３３の被操作部７３、７３が入ることとなる。
上述したように、中央開口部１０２Ａは、保持部材３３の被操作部７３、７３が、爪部７１、７１と窓部５４、５４とが非係合の状態まで縮径した際に入ることが可能な開口形状に形成されているので、図５に示すように、中央開口部１０２Ａの一対の内側面１０２Ａ１、１０２Ａ１は、保持部材３３の被操作部７３、７３に当接して被操作部７３、７３を軸線Ｌ０側に押し込んだ状態に保持する。
【００２９】
つまり、案内用開口部１０２Ｂの内側面１０２Ｂ１、１０２Ｂ１は、保持部材３３の被操作部７３、７３を、爪部７１、７１と窓部５４、５４とが非係合となる直前の状態まで押し込む一対の第一操作部として機能し、中央開口部１０２Ａの内側面１０２Ａ１、１０２Ａ１は、上記一対の第一操作部により押し付けられた一対の被操作部７３、７３を、爪部７１、７１と窓部５４、５４とが非係合の状態に保持する一対の第二操作部として機能する。
これによって、保持部材３３の被操作部７３、７３に当接して、これら被操作部７３、７３を、爪部７１、７１と窓部５４、５４が非係合となる位置まで徐々に押し込む一対の操作部（第一操作部および第二操作部）が構成される。
したがって、この解除器具１００を雄部材３１の軸線Ｌ０側に押し込めば（図５参照）、クイックコネクタ３０の接続状態が解除され、雄部材３１を雌部材３２から引き抜くことができる。
【００３０】
また、図５に示すように、解除器具１００は、クイックコネクタ３０の最大外径を構成する雌部材３２よりも大径に形成されており、この雌部材３２よりも外側に突出する部分を、作業者が指で把持可能なにぎり部として機能させることができる。
つまり、解除器具本体１１０は、保持部材３３の一対の被操作部７３、７３に当接して軸線Ｌ０に押し込むための上記一対の操作部を構成する部分であり、切り欠き部１０２の一対の内側面（１０２Ａ１、１０２Ｂ１）に相当しており、それ以外の部分、つまり、解除器具本体１１０より延出する周囲部分１２０、１２０は、作業者が解除器具１００を持つためのにぎり部として機能する。
本構成では、このにぎり部１２０、１２０が、一対の操作部を構成する一対の内側面（１０２Ａ１、１０２Ｂ１）の左右に位置するので、作業者が解除器具１００を片手で持って解除操作を容易に行うことが可能である。
【００３１】
また、本構成の解除器具１００では、中央開口部１０２Ａに対し、案内用開口部１０２Ｂと反対側にも開口部１０２Ｃ（図４（Ａ）参照）が形成されており、つまり、切り欠き部１０２が中央開口部１０２Ａよりも更に奥側まで切れ込んでいる。
このように、切り欠き部１０２の切れ込み量を長くした場合には、解除器具１００の一対の操作部を構成する部分が弾性変形して開きやすくなるため、解除器具１００をクイックコネクタ３０側へ押し込む際に、その操作力を小さくすることができ、解除操作をより容易にすることができる。
【００３２】
以上説明したように、本実施の形態によれば、保持部材３３の被操作部７３、７３に当接してこの被操作部７３、７３を雄部材３１の軸線Ｌ０側に押し付ける解除器具１００を設け、この解除器具１００により保持部材３３の爪部７１、７１と雌部材３２の窓部５４、５４との係合を解除して雄部材３１と雌部材３２とを着脱自在にしたので、被操作部７３、７３が小さくても被操作部７３、７３に簡単にアクセスしてクイックコネクタ３０の係合を容易に解除することができる。
また、保持部材３３には複数（本例では一対）の被操作部７３、７３が設けられ、解除器具１００には、複数（本例では一対）の被操作部７３、７３に各々当接して雄部材３１の軸線Ｌ０側に押し付ける複数（本例では一対）の操作部として機能する一対の内側面（１０２Ａ１、１０２Ｂ１）を備えるので、被操作部７３と操作部とが対となり、全ての被操作部７３、７３を確実に操作することができる。
【００３３】
また、解除器具１００は、図５に示すように、雄部材３１の軸線Ｌ０の直交面Ｍ１に沿って雄部材３１の軸線Ｌ０側に挿入自在な板状の解除器具本体１１０を有し、この板状の解除器具本体１１０に一対の操作部（一対の内側面１０２Ａ１、１０２Ｂ）を設けているので、クイックコネクタ３０の雄部３１の近傍に側壁（壁部）１８Ａが存在し、この側壁１８Ａとクイックコネクタ３０との間の隙間Ｓが狭い場合でも、かかる隙間Ｓに解除器具本体１１０を外方から容易に入れることができる。
この場合、この解除器具本体１１０を燃料ポンプ１０の側壁１８Ａに沿わせれば、該隙間Ｓ２に容易に入れることができ、つまり、燃料ポンプ１０の側壁１８Ａを利用して簡単にクイックコネクタ３０の解除操作を行うことが可能である。これによって、解除器具本体１１０を小型かつ単純な構造で被操作部７３、７３へのアクセスを可能にでき、クイックコネクタ３０の係合を容易に解除することができる。
【００３４】
また、解除器具１００の操作部（一対の内側面１０２Ａ１、１０２Ｂ）は、保持部材３３の被操作部７３、７３を、非係合となる直前の状態まで押し込むテーパー面の第一操作部と、第一操作部により押し付けられた被操作部７３、７３を、非係合の状態に保持する第二操作部とで構成されるので、簡単な操作で保持部材３３の被操作部７３、７３を徐々に押し付けて係合を確実に解除することができる。
また、解除器具１００は、解除器具本体１１０より延出するにぎり部１２０、１２０を備えるので、解除器具１００を持ちやすくすることができ、解除器具１００の操作性を向上できる。
さらに、この解除器具１００は、一方が開口する切り欠き部１０２を有した略Ｃ型形状の解除器具本体１１０を備え、この切り欠き部１０２は、当該解除器具１００を雄部材３１の軸線Ｌ０側に移動した際に雄部材３１およびこの雄部材３１に取り付けられた保持部材３３を挿入自在に開口すると共に、保持部材３３の被操作部７３、７３に当接して雄部材３１の軸線Ｌ０側に押し付ける操作部となる形状に形成されているので、燃料配管１６の一部を構成する雄部材３１を避けつつ、この雄部材３１の近傍に位置する被操作部７３、７３を確実に操作することができる。
【００３５】
なお、この実施形態では、解除器具１００を平板形状に形成する場合について説明したが、これに限らず、図６に示すように、この解除器具１００の厚さ方向に突出するにぎり部１２１を設ける等の設計変更をしてもよい。このにぎり部１２１を設ければ、解除器具１００をより持ちやすくすることができ、また、このにぎり部１２１は、解除器具１００をクイックコネクタ３０側に押し込んだ際に、雌部材３２の上面に当接し、この解除器具１００の押し込み位置を適正位置までに規制することもできる。
【００３６】
＜第二実施形態＞
図７は、第二実施形態に係る解除器具１００の斜視図を示している。また、図８は解除器具１００の四面図を示しており、図８（Ａ）は前方から見た図を示し、図８（Ｂ）は下方から見た図を示し、図８（Ｃ）は後方から見た図を示し、図８（Ｄ）は側方から見た図を示している。なお、上下左右等の各方向は、図７に示す紙面上下左右の方向に略対応している。
この解除器具１００は、略コ字状の板部材で形成された解除器具本体１１０と、この解除器具本体１１０を雌部材３２の外面に沿って案内する案内体として機能する上板１３１および左右の側板１３２、１３２とを備え、これらを樹脂成形により一体に形成した樹脂部品で形成されている。
解除器具本体１１０は、一方（図７における下方）が開口する切り欠き部１０２を有した略Ｃ型形状の板部材で形成され、解除器具１００の前面を構成している。この切り欠き部１０２は、解除器具本体１１０の略中央に位置して一定の開口幅ＨＢ１（図８（Ａ）参照）を有する中央開口部１０２Ａと、この中央開口部１０２Ａに連なり中央開口部１０２Ａから解除器具本体１１０の外側（下側）に行くに従ってその開口幅ＨＢ（図８（Ａ）参照）が徐々に拡がる案内用開口部１０２Ｂとを備えている。
【００３７】
この中央開口部１０２Ａの開口幅ＨＢ１は、保持部材３３の被操作部７３、７３が縮径して爪部７１、７１が窓部５４、５４に非係合の状態での一対の被操作部７３、７３（図３に二点鎖線で示す状態）の外側面間の距離Ｌ１（図３参照）に相当する長さに形成されている。つまり、中央開口部１０２Ａの一対の内側面１０２Ａ１、１０２Ａ１は、一対の被操作部７３、７３を、爪部７１、７１と窓部５４、５４とが非係合の状態に保持する一対の第二当接部操作部として機能する。
また、案内用開口部１０２Ｂは、中央開口部１０２Ａに向かってその開口幅ＨＢを徐々に狭くするように傾斜する左右対称形状の一対のテーパー面を内側面１０２Ｂ１、１０２Ｂ１としており、最も外側の開口幅ＨＢ１は、保持部材３３の被操作部７３、７３が拡径して爪部７１、７１が窓部５４、５４に係合している状態での一対の被操作部７３、７３（図３に実線で示す状態）の外側面間の距離Ｌ２（図３参照）よりも大きく形成されている（ＨＢ１＞Ｌ２）。
つまり、案内用開口部１０２Ｂの一対の内側面１０２Ｂ１、１０２Ｂ１は、保持部材３３の被操作部７３、７３を、爪部７１、７１と窓部５４、５４とが非係合となる直前の状態まで押し込む一対の第一操作部として機能する。
従って、これら第一操作部および第二操作部によって、保持部材３３の被操作部７３、７３に当接して、これら被操作部７３、７３を、爪部７１、７１と窓部５４、５４が非係合となる位置まで徐々に押し込む一対の操作部が構成される。
【００３８】
図９は、この解除器具１００の使用状態を示している。なお、この図に示すように、解除器具１００は、解除器具本体１１０を雄部材３１の軸線Ｌ０の直交面Ｍ１に沿わせて軸線Ｌ０側に移動させることによって保持部材３３の一対の被操作部７３、７３を軸線Ｌ０側に押し付けるようになっている。
左右の側板１３２、１３２の内面間の距離ＬＢ３（図８（Ｂ）参照）は、図９に示すように、雌部材３２の収容部５３の外径、より具体的には、最も大径の大径筒部５３Ａの外径と略一致する長さに形成されている。また、左右の側板１３２、１３２の後端は、内側に屈曲しており、この一対の屈曲板部１３２Ｒ、１３２Ｒの間の距離ＬＢ４（図８（Ｂ）参照）は、図９に示すように、雌部材３２の中径筒部５３Ｂの外径と略一致する長さに形成されている。これにより、解除器具１００を軸線Ｌ０側に移動する際に、この左右の側板１３２、１３２および屈曲板部１３２Ｒ、１３２Ｒが、雌部材３２の大径筒部５３Ａおよび中径筒部５３Ｂの外周面に沿って当該解除器具１００の移動を案内する。
【００３９】
さらに、左右の屈曲板部１３２Ｒ、１３２Ｒと解除器具本体１１０との間の距離ＬＢ５（図８（Ｂ）参照）は、図９に示すように、雌部材３２の大径筒部５３Ａの軸長さと略一致する長さに形成されており、これによって、解除器具１００を軸線Ｌ０側に移動する際に、解除器具１００が大径筒部５３Ａの前面および後面に沿って案内される。
すなわち、解除器具１００は、雌部材３２の外面（外周面および前面および後面）に沿って案内され、この案内によって、解除器具本体１１０が、保持部材３３の一対の被操作部７３、７３を押し込む位置に案内され、しかも、この押し込む位置に移動すると上板１３１が雌部材３２に当接し、それ以上の移動が規制されるようになっている。
【００４０】
以上説明したように、この解除器具１００は、保持部材３３の被操作部７３、７３に当接してこの被操作部７３、７３を雄部材３１の軸線Ｌ０側に押し付ける解除器具本体１１０と、この解除器具本体１１０を雌部材３２の外面に沿って雄部材３１の軸線Ｌ０側に案内する案内体として機能する上板１３１および左右の側板１３２とを備えるので、第１実施形態の各種効果に加えて、解除器具１００の操作をより容易にすることができる。
また、一対の側板１３２は、解除器具本体１１０より延出する一対のにぎり部としても機能し、作業者が解除器具１００を片手で持って解除操作を容易に行うことが可能である。
【００４１】
＜第三実施形態＞
図１０は、第三実施形態に係る解除器具１００の斜視図を示している。また、図１１は解除器具１００の四面図を示しており、図１１（Ａ）は前方から見た図を示し、図１１（Ｂ）は下方から見た図を示し、図１１（Ｃ）は後方から見た図を示し、図１１（Ｄ）は側方から見た図を示している。なお、上下左右等の各方向は、図１０に示す紙面上下左右の方向に略対応している。
この解除器具１００は、左右一対の板部材で形成された解除器具本体１１０と、この解除器具本体１１０を雌部材３２の外面に沿って案内する案内体として機能する一対の湾曲板部１４１、１４１とこれら湾曲板部１４１、１４１をつなぐつなぎ部１４２とを備え、これらを樹脂成形により一体に形成した樹脂部品で形成されている。
解除器具本体１１０は、解除器具１００の前面を構成し、上下方向に開口する切り欠き部１０２を有する左右一対の板部材１１１、１１１で形成され、一対の板部材１１１、１１１は、解除器具本体１１０の中心軸線ＬＣを中心とした扇形状に形成されている。
切り欠き部１０２は、図１１（Ａ）に示すように、解除器具本体１１０の中心軸線ＬＣを中心とした直径ＲＣ１の開口形状に形成された中央開口部１０２Ａと、この中央開口部１０２Ａに連なり中央開口部１０２Ａから解除器具本体１１０の外側（下側）に行くに従ってその開口幅ＨＣ（図１１（Ａ）参照）が徐々に拡がる案内用開口部１０２Ｂとを備えている。
【００４２】
この中央開口部１０２Ａの直径ＲＣ１は、保持部材３３の被操作部７３、７３が縮径して爪部７１、７１が窓部５４、５４に非係合の状態での一対の被操作部７３、７３（図３に二点鎖線で示す状態）の外側面間の距離Ｌ１（図３参照）に相当する長さに形成されている。つまり、中央開口部１０２Ａの一対の内側面１０２Ａ１、１０２Ａ１は、一対の被操作部７３、７３を、爪部７１、７１と窓部５４、５４とが非係合の状態に保持する一対の第二当接部操作部として機能する。
また、案内用開口部１０２Ｂは、中央開口部１０２Ａに向かってその開口幅ＨＣ１を徐々に狭くするように傾斜する左右対称形状の一対のテーパー面を内側面１０２Ｂ１、１０２Ｂ１としており、最も外側の開口幅ＨＣ１は、保持部材３３の被操作部７３、７３が拡径して爪部７１、７１が窓部５４、５４に係合している状態での一対の被操作部７３、７３（図３に実線で示す状態）の外側面間の距離Ｌ２（図３参照）よりも大きく形成されている（ＨＣ１＞Ｌ２）。
つまり、案内用開口部１０２Ｂの一対の内側面１０２Ｂ１、１０２Ｂ１は、保持部材３３の被操作部７３、７３を、爪部７１、７１と窓部５４、５４とが非係合となる直前の状態まで押し込む一対の第一操作部として機能する。
従って、本実施形態においても、上記実施形態と同様に、これら第一操作部および第二操作部によって、保持部材３３の被操作部７３、７３に当接して、これら被操作部７３、７３を、爪部７１、７１と窓部５４、５４が非係合となる位置まで徐々に押し込む一対の操作部が構成される。
【００４３】
図１２は、この解除器具１００の使用状態を示している。なお、この図に示すように、解除器具１００は、解除器具本体１１０を雄部材３１の軸線Ｌ０の直交面Ｍ１に沿わせて軸線Ｌ０側に移動させることによって保持部材３３の一対の被操作部７３、７３を軸線Ｌ０側に押し付けるようになっている。
この解除器具１００の左右一対の湾曲板部１４１、１４１は、解除器具本体１１０の軸線ＬＣを中心とした円弧に沿って形成されており、雌部材３２の大径筒部５３Ａより若干大径の大径湾曲板部１４１Ａ、１４１Ａと、雌部材３２の中径筒部５３Ｂの外径と略同じ内径の中径湾曲板部１４１Ｂ、１４１Ｂとを備えている。
このため、解除器具１００を軸線Ｌ０側に移動する際には、一対の大径湾曲板部１４１Ａ、１４１Ａおよび中径湾曲板部１４１Ｂ、１４１Ｂが、雌部材３２の大径筒部５３Ａおよび中径筒部５３Ｂの外周面に沿って当該解除器具１００の移動を案内するようになっている。
【００４４】
また、中径湾曲板部１４１Ｂ、１４１Ｂと解除器具本体１１０との間の距離ＬＣ２（図１１（Ｂ）参照）は、図１２に示すように、雌部材３２の大径筒部５３Ａの軸長さと略一致する長さに形成されており、これによって、解除器具１００を軸線Ｌ０側に移動する際に、解除器具１００が大径筒部５３Ａの前面および後面に沿って案内される。
すなわち、解除器具１００は、雌部材３２の外面（外周面および前面および後面）に沿って案内され、この案内によって、解除器具本体１１０が、保持部材３３の一対の被操作部７３、７３を押し込む位置に案内され、しかも、この押し込む位置に移動するとつなぎ部１４２が雌部材３２に当接し、それ以上の移動（押し込み）が規制されるようになっている。
【００４５】
さらに、一対の大径湾曲板部１４１Ａ、１４１Ａの内側には、内周側に突出して雌部材３２の窓部５４に係止する突起１４１Ｃ、１４１Ｃが各々設けられている。この一対の突起１４１Ｃ、１４１Ｃは、解除器具本体１１０を保持部材３３の一対の被操作部７３、７３を押し付ける解除位置に移動した際に（図１２参照）、窓部５４に嵌る位置であって、かつ、窓部５４、５４における爪部７１、７１が係止する係止面５４Ａ、５４Ａと軸方向で反対側の面５４Ｂ、５４Ｂに略係止する位置に設けられている。
このため、解除器具１００を、保持部材３３の被操作部７３、７３を押し込む位置（解除位置に相当）に移動すると、解除器具１００に設けられた一対の突起１４１Ｃ、１４１Ｃが、窓部５４、５４に係止してその位置に解除器具１００を保持させることができる。また、一対の突起１４１Ｃ、１４１Ｃが窓部５４、５４に各々係止するため、雌部材３２に対する解除器具１００の回転も規制することができる。
【００４６】
以上説明したように、この解除器具１００は、保持部材３３の被操作部７３、７３に当接してこの被操作部７３、７３を雄部材３１の軸線Ｌ０側に押し付ける解除器具本体１１０と、この解除器具本体１１０を雌部材３２の外面に沿って雄部材３１の軸線Ｌ０側に案内する案内体として機能する湾曲板部１４１、１４１およびつなぎ部１４２とを備えるので、第１実施形態の各種効果に加えて、解除器具１００の操作をより容易にすることができる。
しかも、この案内体が、クイックコネクタ３０の係合を解除した位置で雌部材３２の窓部５４、５４に係止する突起１４１Ｃ、１４１Ｃを備えるので、解除器具１００の位置決めを行うことができる。
さらに、一対の湾曲板部１４１、１４１は、解除器具本体１１０より延出する一対のにぎり部としても機能するので、作業者が解除器具１００を片手で持って解除操作を容易に行うことが可能である。
【００４７】
以上、一実施形態に基づいて本発明を説明したが、本発明はこれに限定されるものでなく、種々の設計変形を行うことができる。
例えば、上述の実施形態では、燃料ポンプ１０を燃料タンク上板に取り付け、燃料タンク上方にて燃料ポンプ１０にクイックコネクタ３０を介して燃料配管２０を接続した構成の下、解除器具１００を用いる場合を説明したが、これに限らない。例えば、燃料タンクの底板にポンプ貫通孔を形成してポンプ本体１２を燃料タンク下方からタンク内へ挿入し、フランジ部１４を燃料タンクの底板に固定し、燃料タンク下方にて燃料ポンプ１０にクイックコネクタ３０を介して燃料配管２０を接続した構成の下、解除器具１００を用いることも可能である。
【００４８】
さらに、上述の実施形態では、燃料ポンプ１０が、フランジ部１４よりも上方に突出する略円柱状のカバー部１８を有し、このカバー部１８の側壁（壁部）１８Ａから燃料配管（燃料吐出管）１６と一体の雄部材３１が突出する場合に本発明の解除器具１００を用いる場合について説明したが、これに限定されない。
例えば、図１３（Ａ）（Ｂ）に示すように、燃料ポンプ１０のフランジ部１４から略Ｌ字状に屈曲する燃料配管（燃料吐出管）１６が設けられ、この燃料配管１６の先端側に雄部材３１を設けた場合にも、本発明の解除器具１００を用いてクイックコネクタ３０の解除操作を行うことができる。
また、図１４（Ａ）（Ｂ）に示すように、燃料ポンプ１０のフランジ部１４から直線状に延びる燃料配管（燃料吐出管）１６が設けられ、この燃料配管１６の先端側に雄部材３１を設けた場合にも、本発明の解除器具１００を用いてクイックコネクタ３０の解除操作を行うことができる。
【００４９】
すなわち、本発明に係る解除器具１００は、様々なタイプの燃料ポンプ１０の配管接続に用いられるクイックコネクタ３０の解除に広く適用でき、また、クイックコネクタ３０が狭い場所にレイアウトされている場合でも容易に狭い場所へ入れて解除操作を行うことができる。さらに、この解除器具１００は、燃料配管の接続に用いるクイックコネクタ３０に限らず、その他の配管接続に用いるクイックコネクタにも広く適用可能である。
また、第三実施形態において、解除器具１００が解除器具本体１１０を雌部材３２の外面に沿って案内する案内体および解除器具１００の位置決めを行う突起１４１Ｃ、１４１Ｃを備える場合を説明したが、これらの構成を、第一実施形態および第二実施形態の解除器具１００に追加することも勿論可能である。
【図面の簡単な説明】
【００５０】
【図１】（Ａ）は本発明の解除器具が適用されるクイックコネクタを周辺構成と共に上方から見た図であり、（Ｂ）は側方から見た図である。
【図２】クイックコネクタを周囲構成と共に示す分解斜視図である。
【図３】クイックコネクタの側断面図である。
【図４】（Ａ）は解除器具の平面図であり、図４（Ｂ）は側断面図であり、（Ｃ）は（Ａ）を下方から見た図である。
【図５】解除器具の使用状態を示す図である。
【図６】（Ａ）は変形例に係る解除器具の平面図であり、図４（Ｂ）は側断面図であり、（Ｃ）は（Ａ）を下方から見た図である。
【図７】第二実施形態に係る解除器具の斜視図である。
【図８】（Ａ）は解除器具を前方から見た図であり、（Ｂ）は下方から見た図であり、（Ｃ）は後方から見た図であり、（Ｄ）は側方から見た図である。
【図９】解除器具の使用状態を示す図である。
【図１０】第三実施形態に係る解除器具の斜視図である。
【図１１】（Ａ）は解除器具を前方から見た図であり、（Ｂ）は下方から見た図であり、（Ｃ）は後方から見た図であり、（Ｄ）は側方から見た図である。
【図１２】解除器具の使用状態を示す図である。
【図１３】（Ａ）は本発明の解除器具が適用される他のクイックコネクタを周辺構成と共に上方から見た図であり、（Ｂ）は側方から見た図である。
【図１４】（Ａ）は本発明の解除器具が適用される他のクイックコネクタを周辺構成と共に上方から見た図であり、（Ｂ）は側方から見た図である。
【符号の説明】
【００５１】
１０  燃料ポンプ
１６、２０  燃料配管
３０  クイックコネクタ
３１  雄部材
３１Ｂ  フランジ部
３２  雌部材
３３  保持部材
５２  ニップル部
５４、５４  窓部
７０  本体部
７１、７１  爪部
７２、７２  延出部
７３、７３  被操作部
１００  解除器具
１０２  切り欠き部
１０２Ａ  中央開口部
１０２Ａ１、１０２Ａ１  内側面（操作部）
１０２Ｂ  案内用開口部
１０２Ｂ１、１０２Ｂ１  内側面（操作部）
１１０  解除器具本体
１２０、１２０、１２１  にぎり部
１３２、１３２  側板（案内体、にぎり部）
１４１、１４１  湾曲板部（案内体、にぎり部）
１４１Ｃ、１４１Ｃ  突起
Ｌ０  軸線
【図１】
2010196782.tif 000003
【図２】
2010196782.tif 000004
【図３】
2010196782.tif 000005
【図４】
2010196782.tif 000006
【図５】
2010196782.tif 000007
【図６】
2010196782.tif 000008
【図７】
2010196782.tif 000009
【図８】
2010196782.tif 000010
【図９】
2010196782.tif 000011
【図１０】
2010196782.tif 000012
【図１１】
2010196782.tif 000013
【図１２】
2010196782.tif 000014
【図１３】
2010196782.tif 000015
【図１４】
2010196782.tif 000016